(57)【要約】【課題】ダスト等の異物を従来よりも効果的に除去することができる構成を有するガスメータおよびその取付構造ならびにガスメータの組立方法を提供すること。【解決手段】ガスの流入口１１および流出口１３と連通する流路１２内に遮断弁２および流量計測部が配設されているガスメータであって、遮断弁２および流量計測部の上流側に異物除去用のフィルタ１４が設けられている。ダスト等の異物は、フィルタ１４で除去され、遮断弁２の弁ゴム２ａや弁座２ｂへの異物の付着を防止することができ、遮断弁２による遮断時に下流側にガス漏れを発生するのを防止することができる。また、流量計測部へのダスト等の異物の流入も防止することができるため、ダスト等の異物による流量計測への影響を抑制することができる。【選択図】　　　図１
2004101303.tif 000002
【特許請求の範囲】
【請求項１】
ガスの流入口および流出口と連通する流路内に遮断弁および流量計測部が配設されているガスメータであって、
上記遮断弁および流量計測部の上流側に異物除去用のフィルタが設けられている
ことを特徴とするガスメータ。
【請求項２】
ガスの流入口および流出口と連通する流路内に遮断弁および流量計測部が配設されているガスメータであって、
上記流入口に上記流路の内径より大きい内径を有し、上記流路の内径との間に段部をなすように形成された取付部に、上記段部に接するように異物混入用のフィルタがはめ込まれている
ことを特徴とするガスメータ。
【請求項３】
ガスの流入口および流出口と連通する流路内に遮断弁および流量計測部が配設されているガスメータの取付構造であって、上記流入口とガス供給用配管の間に異物除去用のフィルタと一体化されたパッキンが介設され、上記流入口と上記ガス供給用配管が継手で結合されている
ことを特徴とするガスメータの取付構造。
【請求項４】
メータボディと計測部アッシーを組み付ける際に、上記メータボディの上部内壁と上記計測部アッシーの流路上端との間に異物除去用のフィルタを挟み込みながら、上記メータボディに上記計測部アッシーを固定する
ことを特徴とするガスメータの組立方法。
【発明の詳細な説明】
【０００１】
【発明の属する技術分野】
本発明は、ガスメータおよびその取付構造ならびにガスメータの組立方法に関し、特にガス供給用配管からガスメータへ流入するダスト等の異物を除去するガスメータおよびその取付構造ならびにガスメータの組立方法に関する。
【０００２】
【従来の技術】
ガス配管中に含まれるダストを流量計測部の前で除去して流量計測精度の向上を図ったガス計測装置は、たとえば特許文献１としての特開２００１−２９６１５４号公報に開示されている。
【０００３】
図５（Ａ）および（Ｂ）は、それぞれ、上述の公報に開示されているガス計測装置の構成例を示す構成図である。図５（Ａ）に示すガス計測装置では、計測装置内に、ガス通路１と、ガス通路１を流れるガスの流量を計測する超音波センサ５などの流量計測部と、流量計測部の上流側に配設されたガス通路の遮断弁２とを備え、ガス通路１の遮断弁２の弁座３の上流側下部にダスト受け部４を設けている。
【０００４】
また、図５（Ｂ）に示すガス計測装置では、ダスト受け部４を設けるとともに、そのダスト受け部４にダストを吸着させる吸着材７を配設している。
【０００５】
【特許文献１】
特開２００１−２９６１５４号公報
【０００６】
【発明が解決しようとする課題】
しかしながら、図５（Ａ）および（Ｂ）に示す構成では、ダスト受け部４が遮断弁２の下部に設けられているため、入口から入り込んだダスト等が遮断弁２の弁ゴムや弁座３に付着し、ガス遮断時に弁が完全に閉止できずに下流側にガス漏れを発生させる可能性がある。また、図５（Ｂ）に示す構成では、吸着材７に吸着されなかったダストが、遮断弁２を通過して流量計測部に侵入する可能性がある。
【０００７】
よって本発明は、上述した従来の問題点に鑑み、ダスト等の異物を従来よりも効果的に除去することができる構成を有するガスメータおよびその取付構造ならびにガスメータの組立方法を提供することを目的としている。
【０００８】
【課題を解決するための手段】
上記課題を解決するためになされた請求項１記載の発明は、ガスの流入口および流出口と連通する流路内に遮断弁および流量計測部が配設されているガスメータであって、上記遮断弁および流量計測部の上流側に異物除去用のフィルタが設けられていることを特徴とするガスメータに存する。
【０００９】
請求項１記載の発明によれば、ガスの流入口および流出口と連通する流路内に遮断弁および流量計測部が配設されているガスメータにおいて、遮断弁および流量計測部の上流側に異物除去用のフィルタが設けられているので、ダスト等の異物は、フィルタで除去され、遮断弁の弁ゴムや弁座への異物の付着を防止することができ、遮断弁による遮断時に下流側にガス漏れを発生するのを防止することができる。また、流量計測部へのダスト等の異物の流入も防止することができるため、ダスト等の異物による流量計測への影響を抑制することができる。
【００１０】
上記課題を解決するためになされた請求項２記載の発明は、ガスの流入口および流出口と連通する流路内に遮断弁および流量計測部が配設されているガスメータであって、上記流入口に上記流路の内径より大きい内径を有し、上記流路の内径との間に段部をなすように形成された取付部に、上記段部に接するように異物混入用のフィルタがはめ込まれていることを特徴とするガスメータに存する。
【００１１】
請求項２記載の発明によれば、ガスの流入口および流出口と連通する流路内に遮断弁および流量計測部が配設されているガスメータにおいて、流入口に流路の内径より大きい内径を有し、流路の内径との間に段部をなすように形成された取付部に、段部に接するように異物混入用のフィルタがはめ込まれているので、ダスト等の異物は、フィルタで除去され、遮断弁の弁ゴムや弁座への異物の付着を防止することができ、遮断弁による遮断時に下流側にガス漏れを発生するのを防止することができる。また、流量計測部へのダスト等の異物の流入も防止することができるため、ダスト等の異物による流量計測への影響を抑制することができる。また、フィルタの取り付けは、取付部にフィルタをはめ込むだけなので、組み付け作業が容易であり、フィルタを取り外してメンテナンスを行うことが容易である。
【００１２】
上記課題を解決するためになされた請求項３記載の発明は、ガスの流入口および流出口と連通する流路内に遮断弁および流量計測部が配設されているガスメータの取付構造であって、上記流入口とガス供給用配管の間に異物除去用のフィルタと一体化されたパッキンが介設され、上記流入口と上記ガス供給用配管が継手で結合されていることを特徴とするガスメータの取付構造に存する。
【００１３】
請求項３記載の発明によれば、ガスの流入口および流出口と連通する流路内に遮断弁および流量計測部が配設されているガスメータの取付構造であって、流入口とガス供給用配管の間に異物除去用のフィルタと一体化されたパッキンが介設され、流入口とガス供給用配管が継手で結合されているので、ダスト等の異物は、口金Ｏリングと一体化されたフィルタ部分で除去され、遮断弁の弁ゴムや弁座への異物の付着を防止することができ、遮断弁による遮断時に下流側にガス漏れを発生するのを防止することができる。また、流量計測部へのダスト等の異物の流入も防止することができるため、ダスト等の異物による流量計測への影響を抑制することができる。また、フィルタは口金Ｏリングと一体化されているため、交換が容易にできる。
【００１４】
上記課題を解決するためになされた請求項４記載の発明は、メータボディと計測部アッシーを組み付ける際に、上記メータボディの上部内壁と上記計測部アッシーの流路上端との間に異物除去用のフィルタを挟み込みながら、上記メータボディに上記計測部アッシーを固定することを特徴とするガスメータの組立方法に存する。
【００１５】
請求項４記載の発明によれば、メータボディと計測部アッシーを組み付ける際に、メータボディの上部内壁と計測部アッシーの流路上端との間に異物除去用のフィルタを挟み込みながら、メータボディに計測部アッシーを固定するので、異物除去用のフィルタの取り付け作業が容易である。
【００１６】
【発明の実施の形態】
以下、本発明に係るガスメータの実施の形態を図面に基づいて説明する。
【００１７】
（第１の実施形態）
図１は、本発明に係るガスメータの第１の実施形態を示す概略断面図である。
図１において、ガスメータ１０は、その内部にガスの流入口１１および流出口１３と連通する流路１２が形成されており、流路１２は、流入口１１からガスが流入すると共に遮断弁２が配設された下向き流路１２ａと、下向き流路１２ａと遮断弁２を介して連通すると共に、圧力センサ８が配設された下向き流路１２ｂと、下向き流路１２ｂと連通すると共に、図示しない流量計測部（たとえば、超音波センサ）が配設された水平流路１２ｃと、水平流路１２ｃと連通し、流出口１３へガスを流出させる上向き流路１２ｄとからなり、ほぼＵ字上に形成されている。遮断弁２は、下向き流路１２ａと下向き流路１２ｂ間に設けられた弁座２ｂに弁ゴム２ａを押し当てることによりガスを遮断するように構成されている。
【００１８】
また、下向き流路１２ａ内には、遮断弁２より上流側に、ガスを通過させるがダスト等の異物を除去するためのフィルタ１４が配設されている。このフィルタ１４は、たとえばメッシュからなる。
【００１９】
次に、上述の第１の実施形態に係るガスメータの組立方法について、図２を参照しながら説明する。図２（Ａ）および（Ｂ）は、それぞれ、第１の実施形態に係るガスメータの組立過程を説明する図である。まず、図２（Ａ）に示すように、ガスメータ１０は、流入口１１、流路１２の一部および流出口１３が形成されたメータボディ１０Ａに、下向き流路１２ａ，１２ｂ、水平流路１２ｃおよび上向き流路１２ｄと各流路に配設された遮断弁２、圧力センサ８および図示しない流量計測部等とを含む計測部アッシー１０Ｂを挿入してネジ等（図示しない）で固定することにより、メータボディ１０Ａに計測部アッシー１０Ｂを組み付ける。
【００２０】
この組み付けの際、図２（Ｂ）に示すように、メータボディ１０Ａの上部内壁１５と計測部アッシー１０Ｂの流路上端１６の間にフィルタ１４を挟み込みながら、メータボディ１０Ａと計測部アッシー１０Ｂを組み付ける。次いで、計測部アッシー１０Ｂの下部に底板１０Ｃをネジ等（図示しない）で固定することにより、計測部アッシー１０Ｂに底板を組み付けることにより、ガスメータ１０の組立が完了する。
【００２１】
上述の構成によれば、ダスト等の異物が含まれたガスが流入口１１から流路１２に流入すると、ダスト等の異物は、フィルタ１４で除去され、遮断弁２や流量計測部に到達することがない。このように、ダスト等の異物を遮断弁２が配設されている場所よりも上流側で除去することにより、遮断弁２の弁ゴム２ａや弁座２ｂへの異物の付着を防止することができ、遮断弁２による遮断時に下流側にガス漏れを発生するのを防止することができる。また、流量計測部へのダスト等の異物の流入も防止することができるため、ダスト等の異物による流量計測への影響を抑制することができる。
【００２２】
また、フィルタ１４の取り付けは、メータボディ１０Ａと計測部アッシー１０Ｂの組み付けの際に、それらの間に挟み込んで行うことができるため、作業が容易である。
【００２３】
（第２の実施形態）
次に、図３は、本発明に係るガスメータの第２の実施形態を示し、（Ａ）は概略断面図、（Ｂ）は（Ａ）における部分拡大図である。なお、上述の第１の実施形態と同一の構成要素は、同一符号を付して説明を省略し、第２の実施形態の特徴部分のみを説明する。
【００２４】
この第２の実施形態では、ガスメータ１０の流入口１１に、流路１２の内径より大きい内径を有し、流路１２の内径との間に段部１７ａをなす取付部１７が形成され、フィルタ１４が、この取付部１７の段部１７ａに接するようにはめ込まれて配設されている。
【００２５】
上述の構成によれば、ダスト等の異物が含まれたガスが流入口１１から流入すると、ダスト等の異物は、流入口１１の直後にフィルタ１４で除去され、遮断弁２や流量計測部に到達することがない。このように、ダスト等の異物を遮断弁２が配設されている場所よりも上流側で除去することにより、遮断弁２の弁ゴム２ａや弁座２ｂへの異物の付着を防止することができ、遮断弁２による遮断時に下流側にガス漏れを発生するのを防止することができる。また、流量計測部へのダスト等の異物の流入も防止することができるため、ダスト等の異物による流量計測への影響を抑制することができる。
【００２６】
また、フィルタ１４の取り付けは、ガスメータ１０の流入口１１に形成された取付部１７にフィルタ１４をはめ込むだけなので、組み付け作業が容易であり、フィルタ１４を取り外してメンテナンスを行うことが容易である。
【００２７】
次に、本発明に係るガスメータの取付構造について、図４を参照しながら説明する。図４において、（Ａ）は、本発明に係るガスメータの取付構造を示す概略断面図、（Ｂ）は、（Ａ）における部分拡大図である。なお、上述のガスメータの第１の実施形態と同一の構成要素は、同一符号を付して説明を省略し、本発明の特徴部分のみを説明する。
【００２８】
本発明では、ガスメータとガス供給用配管の結合部で、気密保持のために使用されるパッキンにおいて、ダスト等の異物除去用のフィルタを一体化して配設したことを特徴とする。
【００２９】
すなわち、図４において、ガスメータ１０の流入口１１は、ガス供給用配管１１Ａと継手１９で結合され、また、流出口１３は、ガス供給用配管１３Ａと継手１９で結合される。そして、流入口１１とガス供給用配管１１Ａの結合の際、気密保持のために流入口１１とガス供給用配管１１Ａの先端の間に、フィルタ１４と一体化されたパッキン用の口金Ｏリング１８が介設される。同様に、流出口１３とガス供給用配管１３Ａの結合の際、気密保持のために流出口１３とガス供給用配管１３Ａの先端の間に、フィルタ１４と一体化されていないパッキン用の口金Ｏリング１８が介設される。
【００３０】
上述の構成によれば、ダスト等の異物が含まれたガスがガス供給用配管１１Ａからガスメータ１０に供給されると、ダスト等の異物は、口金Ｏリング１８と一体化されたフィルタ１４部分で除去され、遮断弁２や流量計測部に到達することがない。このように、ダスト等の異物を遮断弁２が配設されている場所よりも上流側、すなわち口金Ｏリング１８付近で除去することにより、遮断弁２の弁ゴム２ａや弁座２ｂへの異物の付着を防止することができ、遮断弁２による遮断時に下流側にガス漏れを発生するのを防止することができる。また、流量計測部へのダスト等の異物の流入も防止することができるため、ダスト等の異物による流量計測への影響を抑制することができる。
【００３１】
また、フィルタ１４は口金Ｏリング１８と一体化されているため、交換が容易にできる。
【００３２】
以上の通り、本発明の実施の形態について説明したが、本発明はこれに限らず、種々の変形、応用が可能である。
【００３３】
【発明の効果】
請求項１記載の発明によれば、ダスト等の異物は、フィルタで除去され、遮断弁の弁ゴムや弁座への異物の付着を防止することができ、遮断弁による遮断時に下流側にガス漏れを発生するのを防止することができる。また、流量計測部へのダスト等の異物の流入も防止することができるため、ダスト等の異物による流量計測への影響を抑制することができる。
【００３４】
請求項２記載の発明によれば、ダスト等の異物は、フィルタで除去され、遮断弁の弁ゴムや弁座への異物の付着を防止することができ、遮断弁による遮断時に下流側にガス漏れを発生するのを防止することができる。また、流量計測部へのダスト等の異物の流入も防止することができるため、ダスト等の異物による流量計測への影響を抑制することができる。また、フィルタの取り付けは、取付部にフィルタをはめ込むだけなので、組み付け作業が容易であり、フィルタを取り外してメンテナンスを行うことが容易である。
【００３５】
請求項３記載の発明によれば、ダスト等の異物は、口金Ｏリングと一体化されたフィルタ部分で除去され、遮断弁の弁ゴムや弁座への異物の付着を防止することができ、遮断弁による遮断時に下流側にガス漏れを発生するのを防止することができる。また、流量計測部へのダスト等の異物の流入も防止することができるため、ダスト等の異物による流量計測への影響を抑制することができる。また、フィルタは口金Ｏリングと一体化されているため、交換が容易にできる。
【００３６】
請求項４記載の発明によれば、異物除去用のフィルタの取り付け作業が容易である。
【図面の簡単な説明】
【図１】本発明に係るガスメータの第１の実施形態を示す概略断面図である。
【図２】（Ａ）および（Ｂ）は、それぞれ、第１の実施形態に係るガスメータの組立過程を説明する図である。
【図３】本発明に係るガスメータの第２の実施形態を示し、（Ａ）は概略断面図、（Ｂ）は（Ａ）における部分拡大図である。
【図４】（Ａ）は、本発明に係るガスメータの取付構造を示す概略断面図、（Ｂ）は、（Ａ）における部分拡大図である。
【図５】（Ａ）および（Ｂ）は、それぞれ、従来のガス計測装置の構成例を示す構成図である。
【符号の説明】
２　　遮断弁
１０　　ガスメータ
１１　　流入口
１１Ａ　ガス供給用配管
１２　　流路
１３　　流出口
１３Ａ　ガス供給用配管
１４　　フィルタ
１５　　上部内壁
１６　　流路上端
１７　　取付部
１７ａ　段部
１８　　口金Ｏリング（パッキン）
１９　　継手
【図１】
2004101303.tif 000003
【図２】
2004101303.tif 000004
【図３】
2004101303.tif 000005
【図４】
2004101303.tif 000006
【図５】
2004101303.tif 000007